Podtech/llm-jp-corpus-v4-ja_patent huggingface dataset:
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
オプトエレクトロニクス部品であって、
−  第１の主領域（１ａ）を有するキャリア（１）と、
−  少なくとも１個の基板レス・オプトエレクトロニクス半導体チップ（２）と、
−  コンタクトメタライゼーション（３ａ，３ｂ）と、
を備えており、
−  前記キャリア（１）が電気絶縁性であり、
−  前記少なくとも１個のオプトエレクトロニクス半導体チップ（２）が、前記キャリア（１）の前記第１の主領域（１ａ）に、結合材料（４）、特にはんだ材料によって、固定されており、
−  前記コンタクトメタライゼーション（３ａ，３ｂ）が、前記第１の主領域（１ａ）のうち前記オプトエレクトロニクス半導体チップ（２）が存在していない少なくとも１つの領域、を覆っており、
−  前記コンタクトメタライゼーション（３ａ，３ｂ）が、前記オプトエレクトロニクス半導体チップ（２）に導電接続されており、
−  前記少なくとも１個の基板レス・オプトエレクトロニクス半導体チップ（２）は、めっきスルーホール（２ｃ）を有する表面実装型の半導体チップであり、
前記めっきスルーホール（２ｃ）は、前記半導体チップ（２）のｐ型ドープ層および活性ゾーンを貫いてｎ側において前記半導体チップ（２）に接触接続し、または、前記めっきスルーホール（２ｃ）は、前記半導体チップ（２）のｎ型ドープ層および活性ゾーンを貫いてｐ側において前記半導体チップ（２）に接触接続する、
オプトエレクトロニクス部品。
【請求項２】
−  前記キャリア（１）の前記第１の主領域（１ａ）に固定されている少なくとも２個の同じタイプのオプトエレクトロニクス半導体チップ（２）と、
−  前記同じタイプのオプトエレクトロニクス半導体チップ（２）を、前記第１の主領域（１ａ）とは反対側の面において覆っている少なくとも１つの変換要素（９）と、
を備えている、請求項１に記載のオプトエレクトロニクス部品。
【請求項３】
−  前記変換要素（９）が、同じタイプの２個の隣り合うオプトエレクトロニクス半導体チップ（２）の間の空間（１０）を覆っており、
−  反射性のポッティング材料が、前記オプトエレクトロニクス半導体チップ（２）を横方向において全周にわたり囲んでおり、
−  前記反射性のポッティング材料は、前記キャリアの第１の主領域を完全に覆っており、前記キャリアとは反対側のオプトエレクトロニクス半導体チップの上面のみ、反射性のポッティング材料が存在していない、
請求項２に記載のオプトエレクトロニクス部品。
【請求項４】
−  前記キャリア（１）が、前記第１の主領域（１ａ）から、前記キャリア（１）を通って、反対側の第２の主領域（１ｂ）まで延在している少なくとも１つの開口部（５）、を有し、
−  前記開口部（５）が、少なくとも部分的に導電性材料（６）で満たされており、
−  前記導電性材料（６）が、前記コンタクトメタライゼーション（３ａ，３ｂ）に導電接続されている、
請求項１から請求項３のいずれか一項に記載のオプトエレクトロニクス部品。
【請求項５】
−  前記少なくとも１つの開口部（５）が、横方向において、前記キャリア（１）によって完全に囲まれている、
請求項４に記載のオプトエレクトロニクス部品。
【請求項６】
−  少なくとも１つの開口部（５）の前記導電性材料（６）の横方向に前記キャリア（１）が存在しない、
請求項４または請求項５に記載のオプトエレクトロニクス部品。
【請求項７】
−  前記キャリア（１）の前記第２の主領域（１ｂ）に、少なくとも１つの部品接続部（８）が配置されており、
−  前記部品接続部（８）が、前記少なくとも１つの開口部（５）における前記導電性材料（６）に導電接続されている、
請求項４から請求項６のいずれか一項に記載のオプトエレクトロニクス部品。
【請求項８】
−  前記オプトエレクトロニクス半導体チップ（２）の周囲に少なくとも部分的に形成されているポッティング体（１１）、
を備えており、
−  前記ポッティング体（１１）が前記キャリア（１）の前記第１の主領域（１ａ）に隣接しており、
−  前記ポッティング体（１１）の少なくとも１つの側面領域（１１ｃ）が、前記キャリア（１）の少なくとも１つの側面領域（１ｃ）と揃っている、
請求項１から請求項７のいずれか一項に記載のオプトエレクトロニクス部品。
【請求項９】
−  ハウジング基体（１２）と、
−  請求項１から請求項８のいずれか一項に記載の、少なくとも１個のオプトエレクトロニクス部品（１００）と、
を備えており、
−  前記オプトエレクトロニクス部品（１００）が前記ハウジング基体（１２）に固定されている、
オプトエレクトロニクスデバイス。
【請求項１０】
−  前記オプトエレクトロニクス部品（１００）の周囲に少なくとも部分的にポッティング体（１１）が成形されており、
−  前記ポッティング体（１１）が、前記キャリア（１）と、前記オプトエレクトロニクス半導体チップ（２）と、前記ハウジング基体（１２）とに隣接している、
請求項９に記載のオプトエレクトロニクスデバイス。
【請求項１１】
オプトエレクトロニクス部品を製造する方法であって、
−  多数のキャリア（１）を備えたキャリア集合体を形成するステップと、
−  多数のオプトエレクトロニクス半導体チップ（２）を基板（２０）上に形成するステップと、
−  前記オプトエレクトロニクス半導体チップ（２）を前記基板（２０）から剥離するステップと、
−  少なくとも１個の前記オプトエレクトロニクス半導体チップ（２）を、前記キャリア集合体の少なくとも１つの前記キャリア（１）に、はんだ実装によって貼り付けるステップと、
を含んでおり、
−  前記オプトエレクトロニクス半導体チップ（２）が前記キャリア（１）に貼り付けられる前に、前記オプトエレクトロニクス半導体チップ（２）を動作させることで機能チェックが実行され、
−  前記オプトエレクトロニクス半導体チップ（２）が、前記キャリア集合体のキャリア（１）に貼り付けられる前に、補助キャリア（２２）に貼り付けられ、
−  前記機能チェックが前記補助キャリア（２２）において実行される、
方法。
【請求項１２】
−  前記キャリア集合体の少なくとも１つのキャリア（１）の第１の主領域（１ａ）にメタライゼーションが形成され、
−  次いで、フォトリソグラフィ法を使用して前記メタライゼーションがパターン化されてコンタクトメタライゼーション（３ａ，３ｂ）が形成される、
請求項１１に記載の方法。
【請求項１３】
−  請求項１から請求項８のいずれか一項に記載のオプトエレクトロニクス部品が製造される、
請求項１１または請求項１２に記載の方法。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
発光ダイオードの製造方法であって、
−  シリコン表面（１ａ）を有するキャリア基板（１）を形成するステップと、
−  前記シリコン表面（１ａ）上に、成長方向（Ｒ）に積層体（１００）を堆積させるステップと、
−  前記積層体（１００）上に発光ダイオード構造（１６）を堆積させるステップと、
を含んでおり、
−  前記積層体（１００）が、窒化ガリウムを使用して形成されるＧａＮ層（５）を含んでおり、
−  前記積層体（１００）が、窒化珪素を使用して形成される第１のマスキング層（１２）を含んでおり、
−  前記成長方向（Ｒ）において前記ＧａＮ層（５）の少なくとも一部分の後ろに、前記第１のマスキング層（１２）が続いており、
前記第１のマスキング層（１２）は、前記積層体（１００）において最初のＧａＮ層を成長させた後に堆積され、
前記積層体（１００）は、前記ＧａＮ層（５）と前記シリコン表面（１ａ）との間にマスキング層が存在しない、
方法。
【請求項２】
−  前記第１のマスキング層（１２）がＧａＮ層の中に配置される、
請求項１に記載の方法。
【請求項３】
−  前記第１のマスキング層（１２）が２層のＧａＮ層に直接隣接している、
請求項１または請求項２に記載の方法。
【請求項４】
−  少なくとも２層のＧａＮ層（５，８，１１）が、前記成長方向（Ｒ）において前記第１のマスキング層（１２）より上流に配置される、
請求項１から請求項３のいずれか一項に記載の方法。
【請求項５】
−  前記積層体（１００）が少なくとも２層のＧａＮ層（５，８，１１）を含んでおり、
−  前記成長方向（Ｒ）においてＧａＮ層（５，８，１１）それぞれの後ろにＡｌＮ層（７，１０，１５）が続いている、
請求項１から請求項４のいずれか一項に記載の方法。
【請求項６】
−  前記積層体（１００）が少なくとも２層のＧａＮ層（５，８，１１）を含んでおり、
−  前記成長方向（Ｒ）においてＧａＮ層（５，８，１１）それぞれの後ろにＡｌＧａＮ層（７，１０，１５）が続いている、
請求項１から請求項４のいずれか一項に記載の方法。
【請求項７】
−  前記積層体（１００）が少なくとも２層のＧａＮ層（５，８，１１）を含んでおり、
−  前記成長方向（Ｒ）においてＧａＮ層（５，８，１１）それぞれの後ろに、ＡｌＧａＮ層（７，１０，１５）もしくはＡｌＮ層（７，１０，１５）またはその両方が続いている、
請求項１から請求項４のいずれか一項に記載の方法。
【請求項８】
前記ＡｌＧａＮ層（７，１０，１５）の少なくとも１層におけるＧａの濃度が、少なくとも５％から最大で１０％の範囲内である、
請求項６または請求項７に記載の方法。
【請求項９】
−  前記積層体（１００）が少なくとも２層のＧａＮ層（５，８，１１）を含んでおり、
−  ＧａＮ層（５，８，１１）それぞれの中にマスキング層が配置されている、
請求項１から請求項８のいずれか一項に記載の方法。
【請求項１０】
−  前記シリコン表面（１ａ）から、前記成長方向（Ｒ）における前記第１のマスキング層（１２）までの間の前記積層体（１００）に、ＡｌＧａＮ層が存在しない、
請求項１から請求項９のいずれか一項に記載の方法。
【請求項１１】
−  前記積層体（１００）にＡｌＧａＮ層が存在しない、
請求項１から請求項１０のいずれか一項に記載の方法。
【請求項１２】
−  前記成長方向（Ｒ）においてバッファ層（３）のすぐ後ろにＧａＮ層（５ａ）が続いている、
請求項１から請求項１１のいずれか一項に記載の方法。
【請求項１３】
−  前記ＧａＮ層（５ａ）が擬似格子整合ＧａＮ層（５ａ）である、
請求項１２に記載の方法。
【請求項１４】
−  前記成長方向（Ｒ）において、前記第１のマスキング層（１２）が、前記擬似格子整合ＧａＮ層（５ａ）とＧａＮ層（８）との間に配置され、前記マスキング層（１２）の厚さが、０．５ｎｍ〜２．５ｎｍの範囲内である、
請求項１３に記載の方法。
【請求項１５】
−  前記発光ダイオード構造（１６）が前記積層体（１００）から剥離される、
請求項１から請求項１４のいずれか一項に記載の方法。
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
オプトエレクトロニクスデバイスにおいて、
熱可塑性樹脂（５）を含む部材（６）が設けられており、
該部材（６）は、反射器として成形されたケーシングであり、
前記熱可塑性樹脂（５）は、コア（２）とシェル（３）を有する粒子（１）を含んでおり、
前記シェル（３）は前記コア（２）の表面に設けられており、
前記コア（２）はアルミニウムを含む
ことを特徴とする電子デバイス。
【請求項２】
前記シェル（３）は前記コア（２）の表面にじかに設けられている、請求項１記載のデバイス。
【請求項３】
前記シェル（３）は酸化物、窒化物または酸窒化物を含む、請求項１または２記載のデバイス。
【請求項４】
前記シェル（３）は１０ｎｍよりも大きい厚さを有する、請求項１から３のいずれか１項記載のデバイス。
【請求項５】
前記シェル（３）は１００μｍよりも小さい厚さを有する、請求項１から４のいずれか１項記載のデバイス。
【請求項６】
前記シェル（３）は前記コア（２）を電気的に絶縁する、請求項１から５のいずれか１項記載のデバイス。
【請求項７】
前記シェル（３）は、該シェルの表面にコーティング（４）を有する、請求項１から６のいずれか１項記載のデバイス。
【請求項８】
前記粒子（１）は、ｄ50値としての測定において、１０ｎｍ〜５０μｍの平均粒子サイズを有する、請求項１から７のいずれか１項記載のデバイス。
【請求項９】
前記熱可塑性樹脂（５）に対する前記粒子（１）の濃度は、０．００１〜５質量％である、請求項１から８のいずれか１項記載のデバイス。
【請求項１０】
前記コア（２）は、少なくとも９９モル％のアルミニウム含有量を有する、請求項１から９のいずれか１項記載のデバイス。
【請求項１１】
前記コア（２）はアルミニウム合金を含む、請求項１から１０のいずれか１項記載のデバイス。
【請求項１２】
オプトエレクトロニクスデバイスのための部材（６）の製造方法において、
該部材（６）は、反射器として成形されたケーシングであり、
Ａ）熱可塑性樹脂（５）を用意するステップと、
Ｂ）アルミニウムを含むコア（２）と、該コア（２）の表面に設けられたシェル（３）を含む粒子（１）を含入するステップと、
Ｃ）部材（６）を成形するステップと
を有することを特徴とする方法。
【請求項１３】
前記ステップＢ）の粒子（１）は、事前に実施される方法において製造され、該方法は、
ａ）アルミニウムを溶解するステップと、
ｂ）コア（２）を形成するために、前記ステップａ）により得られた溶解物を噴霧するステップと、
ｃ）前記ステップｂ）により得られたコア（２）を粉砕するステップと、
ｄ）該コア（２）の表面にシェル（３）を形成するために、前記ステップｃ）により得られたコア（２）をコンディショニングするステップと
を有することを特徴とする、
請求項１２記載の方法。
【請求項１４】
前記粒子（１）は、前記ステップＢ）の前であり前記ステップｄ）の後、ステップｅ）において乾燥させる、請求項１３記載の方法。
【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
少なくとも１個のガルバニ電池（１）と、
少なくとも１個の内部空間（４７）を備え、前記少なくとも１個のガルバニ電池（１）を少なくとも部分的に受容するために設けられている電池保持手段（４）と、
前記電池保持手段（４）の前記内部空間（４７）を少なくとも部分的に取り囲み、前記少なくとも１個のガルバニ電池（１）と少なくとも部分的に作用的に結合している第１の壁要素（９）と、
前記少なくとも１個の第１の壁要素（９）と作用的に結合している伝熱手段（３）と、
前記伝熱手段（３）に付設され、第１の流体（４８）を貫流させるために設けられている流体通路（８）と
を備えた電気エネルギーを蓄積するための装置において、
前記装置が、少なくとも部分的に前記ガルバニ電池保持器（４）の内部に配置された少なくとも１個の位置補正手段（２）を有し、この位置補正手段（２）が、温度に基づいて及び／又はこの位置補正手段に作用する周囲圧力に基づいて優先方向に膨張するように設けられていることを特徴とする装置。
【請求項２】
前記位置補正手段は、少なくとも１個のこの位置補正手段に作用する力の種類及び／又は大きさが、その幾何学的形態及び／又は製造する材料によって予め設定されるように構成されていることを特徴とする、請求項１に記載の装置。
【請求項３】
前記位置補正手段は、充電サイクル時の少なくとも１個のガルバニ電池の容積増大が、少なくとも１個の添設されている位置補正手段の対応的な容積減少によって補正されるように構成されていることを特徴とする、上記請求項の少なくとも１項に記載の装置。
【請求項４】
前記位置補正手段は、少なくとも１個のガルバニ電池及び／又は少なくとも１個のガルバニ電池保持手段の、変形及び／又は破壊が阻止されるように構成されていることを特徴とする、上記請求項の少なくとも１項に記載の装置。
【請求項５】
前記位置補正手段は、この位置補正手段が少なくとも前記第１の壁要素に対する少なくとも１個のガルバニ電池の押圧力を好ましくは一定の値へ調整するように構成されていることを特徴とする、上記請求項の少なくとも１項に記載の装置。
【請求項６】
前記少なくとも１個のガルバニ電池が少なくとも１個のセパレータを有し、このセパレータが好ましくは物質透過性の担持体から成り、好ましくは部分的に物質透過性があり、すなわち少なくとも１個の材料に関しては実質的に透過性があり、少なくとも１個の他の材料に関しては実質的に非透過性であり、
前記担持体が少なくとも１つの面が無機材料で被覆され、
物質透過性担持体として、好ましくは有機材料が使用され、この有機材料が好ましくは不織布として構成され、
前記有機材料が好ましくはポリマー、特に好ましくはポリエチレンテレフタラート（ＰＥＴ）を有し、
前記有機材料がイオン伝導性無機材料で被覆され、このイオン伝導性無機材料が好ましくは−４０℃〜２００℃の温度範囲でイオン伝導性があり、
前記イオン伝導性無機材料が、好ましくは、Ｚｒ、Ａｌ、Ｌｉのうちの少なくとも１つの元素の、酸化物、リン酸塩、硫酸塩、チタン酸塩、ケイ酸塩、アルミノケイ酸塩からなるグループの少なくとも１つの化合物であり、特に酸化ジルコニウムであり、
前記イオン伝導性無機材料が好ましくは１００ｎｍ未満の最大径をもつ粒子を有していることを特徴とする、上記請求項の少なくとも１項に記載の装置。
【請求項７】
１個のガルバニ電池と、１個の電池保持手段と、１個の位置補正手段と、１個の伝熱手段の各縦軸線が実質的に平行に延びていることを特徴とする、上記請求項の少なくとも１項に記載の装置。
【請求項８】
少なくとも１個の第１の成形部材を有し、この第１の成形部材が前記電池保持手段の少なくとも前記第１の壁要素と圧力嵌合で結合させるために設けられ、前記第１の成形部材が少なくとも前記電池保持手段に対して実質的に垂直に配置されていることを特徴とする、上記請求項の少なくとも１項に記載の装置。
【請求項９】
少なくとも１個の中空室を有し、この中空室が流体通路として構成されていることを特徴とする、上記請求項の少なくとも１項に記載の装置。
【請求項１０】
少なくともある領域において、少なくとも前記流体通路に高湿潤手段が付設されていることを特徴とする、上記請求項の少なくとも１項に記載の装置。
【請求項１１】
少なくとも１個の搬送装置が付設され、この搬送装置が少なくとも１つの流体を搬送するために設けられ、この搬送装置は制御可能であることを特徴とする、上記請求項の少なくとも１項に記載の装置。
【請求項１２】
少なくとも前記第１の壁要素が、少なくとも部分的に、少なくとも前記電池ケースよりも高い熱線吸収率を有していることを特徴とする、上記請求項の少なくとも１項に記載の装置。
【請求項１３】
少なくとも１個の測定手段を有し、この測定手段が少なくとも１つの測定値を、特に前記ガルバニ電池の所定位置における温度を検出するために設けられていることを特徴とする、上記請求項の少なくとも１項に記載の装置。
【請求項１４】
少なくとも１個の制御手段を有し、この制御手段が少なくとも１個の第１の測定手段の信号を検出するために、及び／又は、前記少なくとも１個の伝熱手段を制御するために設けられていることを特徴とする、上記請求項の少なくとも１項に記載の装置。
【請求項１５】
少なくとも１個の第２の測定手段を有し、この第２の測定手段が前記ガルバニ電池内の電流の電流強さ又は前記ガルバニ電池からの電流の電流強さを検出して、この電流強さを前記制御装置に送るのに適しており、
及び／又は、
記憶装置を有し、この記憶装置は前記制御手段に付設され、前記記憶装置が少なくともデータ及び／又は演算規則を記憶するために適している、
ことを特徴とする、上記請求項の少なくとも１項に記載の装置。
【請求項１６】
上記請求項の少なくとも１項に記載の装置を作動させる方法において、
前記第１の測定手段が少なくとも一時的に１個のガルバニ電池の所定部位での温度を検出し、及び／又は、前記第２の測定手段が１個のガルバニ電池内の電流の強さ又は１個のガルバニ電池からの電流の強さを検出し、
前記制御手段が検出した前記温度と、これに対し予め設定された温度との温度差を特定し、
前記制御装置が、測定した前記温度、検出した前記温度差及び／又は検出した電流強さに基づいて、伝熱手段及び／又は流体用搬送手段をオンオフする
ことを特徴とする方法。
【請求項１７】
少なくとも１個のガルバニ電池（１）及び／又は少なくとも１個の位置補正手段（２）を装備した、請求項１〜１５の少なくとも１項に記載の装置のための電池保持手段（４）を、ストランドプロファイル（１０）を使用して以下のステップで製造する方法；
（ａ）前記ストランドプロファイル（１０）を所定の長さの部片に分割するステップと、
（ｂ）前記ガルバニ電池（１）と前記位置補正手段（２）とを配置するステップと、
（ｃ）これらの配置を前記電池保持手段（４）に押し込むステップ。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
保持手段（３）に受容された、特にフラットバッテリーセルである少なくとも１つの電気化学セル（２）を備えるバッテリーアッセンブリ（１）であって、前記保持手段（３）が、少なくとも１つのフレーム要素（６、７）と前記電気化学セル（２）に少なくとも間接的に隣接する少なくとも１つの固定プレート（４）を有しており、前記電気化学セル（２）の表面（５）と前記固定プレート（４）との間に規定の面圧が生じており、複数の前記固定プレート（４）のうちの１つが、前記フレーム要素（６，７）のうちの１つに少なくとも間接的に堅固に接続されているバッテリーアッセンブリ（１）において、複数の前記固定プレート（４）のうちの少なくとも１つが、複数の前記フレーム要素（６，７）のうちの１つにある溝（８）内、特に周溝（８）内に保持されていることを特徴とするバッテリーアセンブリ。
【請求項２】
セパレート弾性層（９）が、少なくとも、複数の前記電気化学セル（２）のうちの１つと複数の前記固定プレート（４）のうちの１つとの間に配置されていることを特徴とする、請求項１に記載のバッテリーアセンブリ。
【請求項３】
複数の前記フレーム要素のうちの少なくとも１つが保持フレーム（７）であることを特徴とする、請求項１又は２に記載されたバッテリーアッセンブリ。
【請求項４】
複数の前記固定プレート（４）のうちの少なくとも１つが、複数の前記フレーム要素（６，７）のうちの１つに解除可能に接続されていることを特徴とする、請求項１から３の何れか一項に記載されたバッテリーアッセンブリ。
【請求項５】
複数の前記固定プレート（４）のうちの少なくとも１つが、材料接続又は一体接続によって複数の前記フレーム要素（６，７）のうちの１つに接続されていることを特徴とする、請求項１から４の何れか一項に記載されたバッテリーアッセンブリ。
【請求項６】
複数の前記電気化学セル（２）のうちの少なくとも１つが、摩擦接続によって２つの固定プレート（４）の間に保持され、特に摩擦接続のみで２つの固定プレート（４）の間に保持されていることを特徴とする、請求項１から５の何れか一項に記載されたバッテリーアッセンブリ。
【請求項７】
複数の前記フレーム要素のうちの少なくとも１つがバッテリーハウジング（６）であることを特徴とする、請求項１から６の何れか一項に記載されたバッテリーアッセンブリ。
【請求項８】
少なくとも１つの弾性層（９）が、複数の前記電気化学セル（２）のうちの１つに直接隣接していることを特徴とする、請求項１から７の何れか一項に記載されたバッテリーアッセンブリ。
【請求項９】
少なくとも１つの固定プレート（４）が、熱伝導性プレートとして形成されていることを特徴とする、請求項１から８の何れか一項に記載されたバッテリーアッセンブリ。
【請求項１０】
複数の前記電気化学セル（２）の各々が、少なくとも１つの固定プレート（４）に隣接し、特に直接隣接していることを特徴とする、請求項１から９の何れか一項に記載されたバッテリーアッセンブリ。
【請求項１１】
複数の前記固定プレート（４）のうちの少なくとも１つが、前記保持手段（３）の他の要素に対して摺動可能に保持されていることを特徴とする、請求項１から１０の何れか一項に記載されたバッテリーアッセンブリ。
【請求項１２】
前記固定プレート（４）が、熱交換手段（１０）に接続されていることを特徴とする、請求項１から１１の何れか一項に記載されたバッテリーアッセンブリ。
【請求項１３】
前記電気化学セル（２）の空間的膨張が可能であり、特に積層方向（Ｓ）に沿った空間的膨張が可能であることを特徴とする、請求項１から１２の何れか一項に記載されたバッテリーアッセンブリ。
【請求項１４】
前記電気化学セル（２）の規定の膨張では、前記電気化学セル（２）の規定の損傷が起こることを特徴とする、請求項１３に記載されたバッテリーアッセンブリ。
【請求項１５】
前記電気化学セル（２）の規定の膨張では、前記電気化学セル（２）のシール（１４）が電流導体のダクトの領域で損傷するように、前記電気化学セル（２）の電流導体（１２）が引張荷重を受けることを特徴とする、請求項１３又は１４に記載されたバッテリーアッセンブリ。
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
電気化学的電池のカバー（４）の内側に配置される少なくとも１個の電極スタック（２）を備え、該電極スタック（２）が少なくとも第１の電極層（５）と第２の電極層（６）とを有し、前記第１の電極層（５）と前記第２の電極層（６）との間にセパレータ層（７）が配置され、前記第１の電極層（５）が前記第２の電極層（６）よりも小さな平面拡がりを有している電気化学的電池（１）であって、前記第１の電極層（５）に隣接して、特に機械的に安定なエッジ層（８）が配置されている前記電気化学的電池において、前記第１の電極層（５）が前記エッジ層（８）とともに複合層（１０）を形成していることを特徴とする電気化学的電池。
【請求項２】
前記第１の電極層（５）と前記エッジ層（８）とが共通の面（Ｅ）内に配置されていることを特徴とする、請求項１に記載の電気化学的電池。
【請求項３】
前記エッジ層（８）が少なくとも前記第１の電極層（５）の１つの側面（９）に配置され、特に前記第１の電極層の、導電体（３）が該第１の電極層（５）に接続されている側面に配置されていることを特徴とする、請求項１または２に記載の電気化学的電池。
【請求項４】
前記エッジ層（８）が、少なくとも、前記第１の電極層（５）のそれぞれ対向している２つの側面（９）に配置されていることを特徴とする、上記請求項の少なくとも１つに記載の電気化学的電池。
【請求項５】
前記エッジ層（８）が前記第１の電極層（５）のまわりに周回するように配置されていることを特徴とする、上記請求項の少なくとも１つに記載の電気化学的電池。
【請求項６】
前記複合層（１０）の長さ（Ｌ３）が前記第２の電極層（６）の長さ（Ｌ２）に相当していることを特徴とする、上記請求項の少なくとも１つに記載の電気化学的電池。
【請求項７】
前記複合層の幅が前記第２の電極層（６）の幅に相当していることを特徴とする、上記請求項の少なくとも１つに記載の電気化学的電池。
【請求項８】
前記エッジ層（８）が前記第１の電極層（５）の横断面厚さに実質的に相当する横断面厚さを有していることを特徴とする、上記請求項の少なくとも１つに記載の電気化学的電池。
【請求項９】
前記エッジ層（８）が前記第１の電極層（５）の硬度にほぼ相当する硬度を有していることを特徴とする、上記請求項の少なくとも１つに記載の電気化学的電池。
【請求項１０】
前記第１の電極層がカソード層（５）であり、前記第２の電極層がアノード層（６）であることを特徴とする、上記請求項の少なくとも１つに記載の電気化学的電池。
【請求項１１】
上記請求項の少なくとも１つに記載の少なくとも１個の電気化学的電池（１）を備えたバッテリー。
【請求項１２】
電気化学的電池（１）を製造する方法であって、前記電気化学的電池（１）が該電気化学的電池のカバー（４）の内側に配置される少なくとも１個の電極スタック（２）を備え、該電極スタック（２）が少なくとも第１の電極層（５）と第２の電極層（６）とを有し、前記第１の電極層（５）と前記第２の電極層（６）との間にセパレータ層（７）が配置され、前記第１の電極層（５）が前記第２の電極層（６）よりも小さな平面拡がりを有し、少なくとも前記第１の電極層の１つの側面にエッジ層（８）を装着するようにした前記方法において、複合層（１０）を前記第１の電極層（５）と前記エッジ層（８）とから組み合わせて形成させることを特徴とする方法。
【請求項１３】
前記エッジ層（８）と前記第１の電極層（５）とを共通の面（Ｅ）内に配置することを特徴とする、請求項１２に記載の方法。
【請求項１４】
エッジ層（８）を少なくとも前記第１の電極層（６）の１つの側面（９）に配置し、特に前記第１の電極層（６）の、導電体（３）が該第１の電極層に接続されている側面に配置することを特徴とする、請求項１２または１３に記載の方法。
【請求項１５】
前記エッジ層（８）を、少なくとも、前記第１の電極層（５）のそれぞれ対向している２つの側面（９）に配置することを特徴とする、請求項１２から１４までの少なくとも一つに記載の方法。
【請求項１６】
前記エッジ層（８）を前記第１の電極層（５）のまわりに周回するように配置することを特徴とする、請求項１２から１５までの少なくとも一つに記載の方法。
【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
電気化学的セルのスタックに荷重を付与するとともに前記スタックへの反応物質フィードフローの流れを導くように構成されるバッフル。
【請求項２】
請求項１に記載のバッフルにおいて、
前記バッフルがセラミック材料から構成される、バッフル。
【請求項３】
請求項２に記載のバッフルにおいて、
前記セラミック材料がセラミックマトリックス複合材料（ＣＭＣ）を含む、バッフル。
【請求項４】
請求項２に記載のバッフルにおいて、
前記ＣＭＣが、酸化アルミニウム、酸化ジルコニウムまたは炭化ケイ素を含むマトリックスと、酸化アルミニウム、炭素または炭化ケイ素を含むファイバーと、を含む、バッフル。
【請求項５】
請求項１に記載のバッフルにおいて、
前記バッフルが、互いに連結された少なくとも一組のバッフルプレートを含む、バッフル。
【請求項６】
請求項５に記載のバッフルにおいて、
前記バッフルプレートのそれぞれが第１の端部および前記第１の端部とは反対側の第２の端部を有し、前記第１の端部が第１の切欠きを有し、前記第２の端部が第２の切欠きを有する、バッフル。
【請求項７】
請求項６に記載のバッフルであって、
複数のインサートをさらに備えるとともに、前記インサートが前記第１および第２の切欠きに嵌め込まれて前記バッフルプレートを連結するように構成される、バッフル。
【請求項８】
請求項７に記載のバッフルにおいて、
前記インサートがボウタイ形状またはドッグボーン形状を有する、バッフル。
【請求項９】
固体酸化物セルのスタック、
少なくとも１つの請求項１に記載のバッフル、
トップブロック、および、
ベース、を備える固体酸化物燃料電池アセンブリにおいて、
前記少なくとも１つのバッフルが前記ベース上に垂直に配列され、前記バッフルを構成するバッフルプレートの少なくとも１つが前記トップブロックと連結する、固体酸化物燃料電池アセンブリ。
【請求項１０】
請求項１に記載のバッフルを備えた電気化学的セルのスタックに荷重を付与するように構成される、スプリング圧縮アセンブリであって、
セラミック板バネ、
前記セラミック板バネの第１の端部に圧力を及ぼすように構成されるテンショナ、および、
前記セラミック板バネの前記第１の端部とは反対側の第２の端部に配置されるボトムプレートであって、前記ボトムプレートが前記セラミック板バネから前記電気化学的セルのスタックに荷重を伝達するように構成されるボトムプレート、を備えた、
スプリング圧縮アセンブリ。
【請求項１１】
請求項１０に記載のスプリング圧縮アセンブリにおいて、
前記テンショナが前記セラミック板バネの上面に接触する湾曲した側面を備えるドーム型テンショナを含み、前記セラミック板バネの下面の端部に接触するロッド型のバネ支持部をさらに有する、スプリング圧縮アセンブリ。
【請求項１２】
ベース上に設けられた燃料電池スタック、および、
前記燃料電池スタックの少なくとも２つの側面に隣接するように配置された複数の請求項１に記載のバッフルであって、前記複数のバッフルが前記燃料電池スタックに圧縮応力を与えるように構成される複数のバッフル、を備える、燃料電池システム。
【請求項１３】
請求項１２に記載の燃料電池システムであって、
前記複数のバッフルに動作可能に接続されるとともに前記燃料電池スタックに圧縮応力を与えるように構成されるスプリング圧縮アセンブリをさらに備える、燃料電池システム。
【請求項１４】
燃料電池スタックに圧縮力を付与する方法であって、
前記燃料電池スタックの少なくとも２つの側面に隣接するように配置された複数のセラミックサイドバッフルを準備する工程、および、
前記燃料電池スタックおよび前記複数のセラミックサイドバッフルに連結されるように、前記燃料電池スタック上にセラミック圧縮メカニズムを設ける工程、
を含み、
前記複数のセラミックサイドバッフルが燃料電池スタック上に圧縮応力を付与するとともに反応物質フィードフロー流れを導き、前記圧縮メカニズムが前記燃料電池スタックに圧縮応力を付与するように構成される、
燃料電池スタックに圧縮力を付与する方法。
【請求項１５】
請求項１４に記載の方法において、
前記圧縮メカニズムがセラミック板バネを有し、各サイドバッフルが複数の連結されたセラミックバッフルプレートを有する、燃料電池スタックに圧縮力を付与する方法。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
被覆体（２）によってガス漏れおよび液漏れなしに密閉されている電極積重物（１３）と、特に設定破断箇所の形状をした少なくとも１つの圧力軽減装置（４）とを有する電気化学的セル（１）であって、
少なくとも１つの前記圧力軽減装置（４）は、前記被覆体（２）の打抜孔（６）を閉鎖する破裂板（５）を備える電気化学的セルにおいて、
前記破裂板（５）は複数の層（７，８）を備え、その中に拡散緩和層を備えることを特徴とする電気化学的セル。
【請求項２】
前記破裂板（５）と前記被覆体（２）との間には、板形状あるいはリング形状のポリマーパッキングが、別個の封止手段（１０）として備わっていることを特徴とする請求項１に記載の電気化学的セル。
【請求項３】
前記破裂板（５）は、プラスチック特にポリマーから作られていることを特徴とする請求項１あるいは２に記載の電気化学的セル。
【請求項４】
前記破裂板（５）は、ホイルから作られていることを特徴とする請求項１から３のいずれか一項に記載の電気化学的セル。
【請求項５】
前記破裂板（５）と前記被覆体（２）とは、ほぼ同一の材料から作られていることを特徴とする請求項１から４のいずれか一項に記載の電気化学的セル。
【請求項６】
破裂温度（ＴB）に達した場合に、圧力軽減プロセスを開始するために前記圧力軽減装置（４）が形成されており、前記破裂板（５）の少なくとも１つの層は、その溶融温度（ＴS）が破裂温度（ＴB）よりも低い材質から作られていることを特徴とする請求項１から５のいずれか一項に記載の電気化学的セル。
【請求項７】
前記破裂板（５）は、パラフィンでコーティングされていることを特徴とする請求項１から６のいずれか一項に記載の電気化学的セル。
【請求項８】
前記破裂板（５）は、金属製特にアルミニウム製の少なくとも１つの層を備えており、該層は好適には前記破裂板（５）に蒸着されていることを特徴とする請求項１から７のいずれか一項に記載の電気化学的セル。
【請求項９】
前記被覆体（２）の前記打抜孔（６）は、円形あるいは角形を備えることを特徴とする請求項１から８のいずれか一項に記載の電気化学的セル。
【請求項１０】
前記破裂板（５）は、前記打抜孔（６）に封着あるいは貼着されており、前記打抜孔（６）に螺入されており、および／あるいは保持部材（９）によって前記打抜孔（６）に持着されていることを特徴とする請求項１から９のいずれか一項に記載の電気化学的セル。
【請求項１１】
前記破裂板（５）は、前記被覆体（２）の前記打抜孔（６）よりも大きい底面を備えることを特徴とする請求項１から１０のいずれか一項に記載の電気化学的セル。
【請求項１２】
前記電気化学的セルは、前記被覆体（２）の部品を破損させることができ、特に前記被覆体（２）の部品を打ち抜くことができる切断手段（１１）特に錐あるいは刃を備えることを特徴とする請求項１から１１のいずれか一項に記載の電気化学的セル。
【請求項１３】
前記電気化学的セルは、必要な圧力軽減プロセスを認識できるために形成されているセンサ手段（１２）を備えることを特徴とする請求項１から１２のいずれか一項に記載の電気化学的セル。
【請求項１４】
少なくとも１つの前記圧力軽減装置（４）が、前記電気化学的セル（１）の電流導体に背向する領域に設けられていることを特徴とする請求項１から１３のいずれか一項に記載の電気化学的セル。
【請求項１５】
少なくとも１つの前記圧力軽減装置（４）が、前記電気化学的セル（１）が取り付けられた状態で、該電気化学的セル（１）の下部領域および／あるいは側面領域に設けられていることを特徴とする請求項１から１４のいずれか一項に記載の電気化学的セル。
【請求項１６】
請求項１から１５のいずれか一項に記載の、少なくとも１つの電気化学的セルを有するバッテリー構造体。
【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
異なるエンティティにおいて保管される、対応する患者情報記録を結合するためのシステムであって：
患者情報記録を含む夫々の患者データベースを有する複数のエンティティであり、
夫々のエンティティは、異なるエンティティにおける同一の患者の対応する患者情報記録を一致させるための、当該エンティティと関連づけられた患者識別アルゴリズムを有する、複数のエンティティと；
前記複数のエンティティのうちの第一のエンティティの結合の組を保持するための結合サブシステムであり、
当該結合サブシステムは、前記第一のエンティティの患者情報記録を、他のエンティティの対応する患者情報記録と結合するために構成され、
前記第一のエンティティの任意の患者情報記録が、前記第一のエンティティの前記患者識別アルゴリズムに基づいて、別のエンティティの対応する患者情報記録と一致する場合に、結合が確立される、結合サブシステムと；
を有する、システム。
【請求項２】
前記結合は、異なるエンティティにおける同一の患者の局所的に割り当てられた患者識別子との間のつながりを提供する、
請求項１に記載のシステム。
【請求項３】
前記複数のエンティティのうちの第二のエンティティの結合のさらなる組を、前記第二のエンティティの前記患者識別アルゴリズムに基づいて、保持するためのさらなる結合サブシステム
を有する、請求項１に記載のシステム。
【請求項４】
前記複数のエンティティのうちの少なくとも一つのエンティティは、前記他のエンティティの情報のローカルコピーを保管するために構成され、
該ローカルコピーは、前記患者情報記録を一致させるために、該少なくとも一つのエンティティの前記患者識別アルゴリズムによって用いられる、
請求項１に記載のシステム。
【請求項５】
前記患者情報記録を一致させるために前記複数のエンティティの前記患者識別アルゴリズムによって用いられる情報のコピーを保管するための中央リポジトリ
をさらに有する、請求項１に記載のシステム。
【請求項６】
前記複数のエンティティのうちの少なくとも一つエンティティの前記結合の組を最初に構成する初期構成サブシステムであって、
少なくとも、該少なくとも一つのエンティティの利用可能な患者情報記録が、前記他のエンティティにおける対応する患者情報記録を潜在的に有する限りにおいて、該少なくとも一つのエンティティの実質的に全ての利用可能な患者情報記録を処理する、初期構成サブシステム
を有する、請求項１に記載のシステム。
【請求項７】
前記結合サブシステムは、前記結合の組を定期的に更新するために構成される、
請求項１に記載のシステム。
【請求項８】
前記結合サブシステムは、要求に応じて、又は前記複数のエンティティのうちの一つにおいて新たな患者識別子が生成されるごとに、前記結合の組を更新するために構成される、
請求項１に記載のシステム。
【請求項９】
前記患者識別アルゴリズムは、患者の人口学的なデータの一致に基づく、
請求項１に記載のシステム。
【請求項１０】
前記人口学的なデータは、名前、住所、社会保障番号、個人識別番号）、税金番号、年齢、生年月日、性別のうちの少なくとも一つを含む、
請求項９に記載のシステム。
【請求項１１】
前記患者識別アルゴリズムは、当該患者識別アルゴリズムと関連づけられたエンティティに特有の閾値を含む、
請求項１に記載のシステム。
【請求項１２】
請求項１に記載の前記システムの前記複数のエンティティのうちの一つのエンティティの一部である医療用ワークステーションであって、
当該医療用ワークステーションを有する前記エンティティの患者情報記録と結合される、別のエンティティの患者情報記録からの患者情報を表示するためのディスプレイを有し、
該結合は、請求項１に記載の前記システムの前記結合サブシステムによって実行された、
医療用ワークステーション。
【請求項１３】
異なるエンティティにおける、対応する患者情報記録を結合する、コンピュータで実行される方法であって、
夫々のエンティティは、患者情報記録を含む夫々の患者データベースを有し、異なるエンティティにおける同一の患者の対応する患者情報記録を一致させるための、当該エンティティと関連づけられた患者識別アルゴリズムを有する、
方法であって、当該方法は、
複数の前記エンティティのうちの第一のエンティティの結合の組を保持する段階であり、
前記結合の組は、前記第一のエンティティの患者情報記録を、他のエンティティの対応する患者情報記録と結合し、
前記第一のエンティティの任意の患者情報記録が、前記第一のエンティティの前記患者識別アルゴリズムに基づいて、別のエンティティの対応する患者情報記録と一致する場合に、結合が確立される、段階
を有する、方法。
【請求項１４】
プロセッサシステムに、請求項１３に記載された前記方法を実行させるための命令を有するコンピュータプログラム。
【手続補正２】
【補正対象書類名】明細書
【補正対象項目名】００１９
【補正方法】変更
【補正の内容】
【００１９】
本発明の別の実施形態は、プロセッサシステムに、説明された方法を実行させる命令を有するコンピュータプログラムを提供する。
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
高分子電解質膜燃料電池であって、
裏当てプレート（１１）と、
上部クランププレート（１５）と、
前記上部プレート（１５）と前記裏当てプレート（１１）との間に置かれた少なくとも１つの面内平面型燃料電池アセンブリ（１３）と、
平面型燃料電池（１３）と上部クランププレート（１５）との間に置かれた電流コレクタフォイル（１４）とを備え、前記電流コレクタフォイル（１４）は、平面型燃料電池に面する側に導電性材料からなるパターンを設けた非導電性フォイルを備え、
燃料電池は、上部クランププレートと裏当てプレート（１１）との間にスポット溶接によってまとめられることを特徴とする、高分子電解質膜燃料電池。
【請求項２】
裏当てプレート（１１）は、スペーサ部材およびスポット溶接接点を形成する複数の溶接支持部材（２１）を有し、アセンブリは、上部クランププレート（１５）と裏当てプレート上の溶接支持部材（２１）との間にスポット溶接によってまとめられる、請求項１に記載の高分子電解質膜燃料電池。
【請求項３】
支持部材（２１）は、裏当てプレートに穴を開けることによって形成された、請求項２に記載の高分子電解質膜燃料電池。
【請求項４】
支持部材（２１）は、裏当てプレート（１１）から突出する突起（２１）を備える、請求項２または３に記載の高分子電解質膜燃料電池。
【請求項５】
突起は、曲がった舌部（２１）の形態で設けられている、請求項４に記載の高分子電解質膜燃料電池。
【請求項６】
支持部材（２１）は弾性を有する、請求項２から５のいずれかに記載の高分子電解質膜燃料電池。
【請求項７】
電流コレクタフォイルの厚みは＜０．２５ｍｍである、請求項１に記載の高分子電解質膜燃料電池。
【請求項８】
導電性パターンは、燃料電池によって発生した電流を運ぶためのリード線と、燃料電池を外部装置に結合するためのコネクタとを備える導体を形成する、請求項１に記載の高分子電解質膜燃料電池。
【請求項９】
高分子電解質膜燃料電池は、１列に並んだ構成で少なくとも２つの平面型燃料電池を備え、電流コレクタフォイルはアセンブリ全体に延在している、請求項１に記載の高分子電解質膜燃料電池。
【請求項１０】
電流コレクタフォイルは、外部結合用のコネクタを提供するためにアセンブリから縦方向に延びる舌部を備える、請求項１に記載の高分子電解質膜燃料電池。
【請求項１１】
導電性パターンはＣｕを含む、請求項１に記載の高分子電解質膜燃料電池。
【請求項１２】
導電性パターンは、燃料電池で発生した電力を出力端子に伝えるための導線を備える、請求項１に記載の高分子電解質膜燃料電池。
【請求項１３】
導電性パターンは、温度および／または電圧を検知するための検知手段として使用可能
な素子を備える、請求項１に記載の高分子電解質膜燃料電池。
【請求項１４】
導電性パターンは、弁を動作させるおよび／または制御するための電圧を供給するためのリード線を備える、請求項１２に記載の高分子電解質膜燃料電池。
【請求項１５】
前記検知手段は、熱電素子および／または熱電抵抗器を含む、請求項１２に記載の高分子電解質膜燃料電池。
【請求項１６】
電流コレクタフォイルは、
非導電性の可撓性の材料からなるベース／基板フォイルと、
前記基板フォイル上に設けられた導電性材料からなるパターンとを備え、前記パターンは、導線と、任意にセンサなどの機能部品とを備え、
前記導電性パターンは、電流コレクタフォイルが前記アセンブリに取付けられたときに、アセンブリを構成する燃料電池ユニットが前記電流コレクタフォイルによって直列に接続されるように、前記面内高分子電解質膜燃料電池の配置に一致するように適合される、請求項１から１５のいずれかに記載の高分子電解質膜燃料電池。
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
パターンがない連続した陽極層上にパターン付き電気活性層を形成する間に、前記パターンがない連続した陽極層を有するウェブをロールツーロール装置を通って送るステップと、
前記電気活性層上にパターン付き陰極層を形成するステップと、
を含み、
前記電気活性層の一部分が、ウェブ搬送の方向と平行な方向に選択的に除去され、
交差ウェブパターンの形成を中止せずに、前記陰極層が選択的除去後に残った前記電気活性層の部分のみに堆積される、
光エレクトロニクスデバイスを製作するプロセス。
【請求項２】
前記パターンがない連続した陽極層への複数の電気的接続を形成するステップであって、前記複数の電気的接続のうち少なくとも１つが、複数のバイアのうちの１つを通過する、ステップをさらに含む、
請求項１に記載のプロセス。
【請求項３】
前記パターンがない連続した陽極層上にパターン付き電気活性層を形成するステップが、
前記パターンがない連続した陽極層上に電気活性層を堆積するステップと、
前記電気活性層の一部分を選択的に除去するステップと、
を含む、請求項１に記載のプロセス。
【請求項４】
陽極バス層が、前記陰極層と同時に、もっぱら前記陽極の露出した領域上に堆積される、請求項１に記載のプロセス。
【請求項５】
前記不連続な陰極への少なくとも１つの貫通接続開口を含む貫通接続層を形成するステップと、
前記連続した陽極に電気的に結合された少なくとも１つの導電性パッチを、少なくとも１つの貫通接続開口にわたって配置するステップと、
をさらに含む、請求項１に記載のプロセス。
【請求項６】
前記不連続な陰極層上に絶縁層を配置するステップと、
前記絶縁層上に導電層をを配置するステップと、
前記導電層を前記連続した陽極層に電気的に結合するステップと、
をさらに含む、請求項１に記載のプロセス。
【請求項７】
前記陰極層から電気的に絶縁され、前記陽極層の上に直接配置され、前記陽極層に電気的に結合されるように構成された導電材料の複数の領域を配置するステップをさらに含む、請求項１に記載のプロセス。
【請求項８】
前記パターン付き陰極層が、複数のリボン状の構造に構成される、請求項１に記載のプロセス。
【請求項９】
前記パターンがない連続した陽極層の一部分上に、少なくとも１つの陽極バス領域を直接配置するステップをさらに含む、請求項１に記載のプロセス。
【請求項１０】
前記光エレクトロニクスデバイスが有機発光デバイスである、請求項１記載のプロセス。